【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
第１板材と第２板材とを連結するための板材連結機構であって、
前記第１板材の連結される側の端面である第１端面に固定される第１機構と、
前記第２板材の連結される側の端面である第２端面に固定される第２機構とを備え、
前記第１機構は、
前記第１端面の長さ方向に沿って延在して前記第１板材の板面に垂直な垂直面と、
前記第１端面の長さ方向に沿って延在して前記第１板材の板面に平行な平行面とを備え、
前記第２機構は、前記垂直面に接する垂直面接面と、前記平行面に接する平行面接面とを備え、
前記垂直面、平行面、垂直面接面及び平行面接面には、該垂直面と該垂直面接面との間又は該平行面と該垂直面接面との間のいずれか一方の間で対向する２つの凹条により挿入部材が挿入される挿入孔が形成され、他方の間で対向する凸条と凹条とが嵌合するように該凸条又は該凹条が形成されており、
前記凸条、凹条、挿入部材及び挿入孔は、前記凸条と凹条との嵌合及び前記挿入部材の前記挿入孔への挿入によって前記第１機構と前記第２機構との間の連結を確立し得る横断面形状を有することを特徴とする板材連結機構。
【請求項２】
第１板材と第２板材とを、該第１板材及び該第２板材が直線状を成す第１連結状態で、又は該第１板材及び該第２板材が直角状を成す第２連結状態で連結するための板材連結機構であって、
前記第１板材の連結される側の端面である第１端面に固定される第１機構と、
前記第２板材の連結される側の端面である第２端面に固定される第２機構とを備え、
前記第１機構は、
前記第１端面の長さ方向に沿って延在して前記第１板材の板面に垂直な第１面と、
前記第１端面の長さ方向に沿って延在して前記第１板材の板面に平行な第２面とを備え、
前記第２機構は、
前記第１連結状態において前記第１面に接し、前記第２連結状態において前記第２面に接する第１接面と、
前記第１連結状態において前記第２面に接し、前記第２連結状態において前記第１面に接する第２接面とを備え、
前記第１面、第２面、第１接面及び第２接面には、前記第１連結状態において接する第１面と第１接面との間又は第２面と第２接面との間のいずれか一方の間で対向する２つの凹条により挿入部材が挿入される挿入孔が形成され、他方の間で対向する凸条と凹条とが嵌合するように、かつ前記第２連結状態において接する第１面と第２接面との間、又は第２面と第１接面との間のいずれか一方の間で対向する２つの凹条により挿入部材が挿入される挿入孔が形成され、他方の間で対向する凸条と凹条とが嵌合するように、該凸条又は該凹条が形成されており、
前記凸条、凹条、挿入部材及び挿入孔は、前記第１又は第２連結状態における挿入及び嵌合によって前記第１機構と前記第２機構との間の連結を確立し得る横断面形状を有することを特徴とする板材連結機構。
【請求項３】
前記第１機構は、前記第１端面の長さ方向に沿って延在し、かつ前記第１板材の板面に垂直な第３面を備え、
前記第３面には前記第１端面の長さ方向に沿った凹条が設けられており、
前記第２機構は、前記第１連結状態において前記第３面と接する第３接面を備え、
前記第３接面には、前記第１連結状態において前記第３面の凹条と嵌合する凸条が設けられていることを特徴とする請求項２に記載の板材連結機構。
【請求項４】
前記第１面及び第２面の凸条又は凹条として、該第１面に第１凸条が設けられ、該第２面に第１凹条が設けられており、
前記第１接面の凸条又は凹条として、該第１接面には、前記第１連結状態において前記第１面の第１凸条が嵌合し、及び前記第２連結状態において、所定の挿入部材が挿入されることにより該第２連結状態を維持するための挿入孔を前記第２面の第１凹条との間で構成する第２凹条が設けられており、
前記第２接面の凹条又は凸条として、該第２接面には、前記第１連結状態において前記挿入部材が挿入されることにより該第１連結状態を確立するための前記挿入孔を前記第２面の第１凹条との間で構成し、及び前記第２連結状態において前記第１面の第１凸条が嵌合する第３凹条が設けられていることを特徴とする請求項２又は３に記載の板材連結機構。
【請求項５】
前記第１機構及び前記第２機構は、前記第１連結状態において前記挿入孔の中心軸線について回転対称であることを特徴とする請求項２〜４のいずれか１項に記載の板材連結機構。
【請求項６】
前記挿入孔を構成する２つの凹条のうちの一方を有する前記第１機構又は前記第２機構には、該一方の凹条の長さ方向に延びて前記挿入部材より大きい長さ及び幅を有する干渉回避手段としての逃げ穴が設けられており、該干渉回避手段としての逃げ穴は、該一方の凹条の一部区間に存在していることを特徴とする請求項２〜５のいずれか１項に記載の板材連結機構。
【請求項７】
請求項２〜６のいずれかの板材連結機構により連結された板材で形成された区画壁を備えることを特徴とする区画室。
【請求項８】
可搬性に優れた組立型の治療室等の医療用に使用できることを特徴とする請求項７に記載の区画室。
【請求項９】
請求項６の板材連結機構の第１機構と第２機構との間の連結を確立する機構連結方法であって、
まず、前記第１機構と前記第２機構との間で挿入孔を構成する２つの凹条のうちの他方の凹条内に挿入部材を配置して固定しておき、
次に、該挿入部材が前記２つの凹条のうちの一方の凹条の一部区間に存在している干渉回避手段としての逃げ穴に入る長さ方向の位置関係で、前記２つの凹条のうちの一方の凹条と他方の凹条との間に前記挿入孔が構成されるように第１機構及び第２機構を接触させ、
そして、第１機構又は第２機構を長さ方向に移動させて前記一方の凹条に前記挿入部材を嵌合させることにより前記連結を確立することを特徴とする機構連結方法。
【手続補正２】
【補正対象書類名】明細書
【補正対象項目名】００１０
【補正方法】変更
【補正の内容】
【００１０】
第１発明に係る板材連結機構は、
第１板材と第２板材とを連結するための板材連結機構であって、
前記第１板材の連結される側の端面である第１端面に固定される第１機構と、
前記第２板材の連結される側の端面である第２端面に固定される第２機構とを備え、
前記第１機構は、
前記第１端面の長さ方向に沿って延在して前記第１板材の板面に垂直な垂直面と、
前記第１端面の長さ方向に沿って延在して前記第１板材の板面に平行な平行面とを備え、
前記第２機構は、前記垂直面に接する垂直面接面と、前記平行面に接する平行面接面とを備え、
前記垂直面、平行面、垂直面接面及び平行面接面には、該垂直面と該垂直面接面との間又は該平行面と該垂直面接面との間のいずれか一方の間で対向する２つの凹条により挿入部材が挿入される挿入孔が形成され、他方の間で対向する凸条と凹条とが嵌合するように該凸条又は該凹条が形成されており、
前記凸条、凹条、挿入部材及び挿入孔は、前記凸条と凹条との嵌合及び前記挿入部材の前記挿入孔への挿入によって前記第１機構と前記第２機構との間の連結を確立し得る横断面形状を有することを特徴とする。
より具体的な態様においては、第１発明に係る板材連結機構は、
第１板材と第２板材とを、該第１板材及び該第２板材が直線状を成す第１連結状態で、又は該第１板材及び該第２板材が直角状を成す第２連結状態で連結するための板材連結機構であって、
前記第１板材の連結される側の端面である第１端面に固定される第１機構と、
前記第２板材の連結される側の端面である第２端面に固定される第２機構とを備え、
前記第１機構は、
前記第１端面の長さ方向に沿って延在して前記第１板材の板面に垂直な第１面と、
前記第１端面の長さ方向に沿って延在して前記第１板材の板面に平行な第２面とを備え、
前記第２機構は、
前記第１連結状態において前記第１面に接し、前記第２連結状態において前記第２面に接する第１接面と、
前記第１連結状態において前記第２面に接し、前記第２連結状態において前記第１面に接する第２接面とを備え、
前記第１面、第２面、第１接面及び第２接面には、前記第１連結状態において接する第１面と第１接面との間又は第２面と第２接面との間のいずれか一方の間で対向する２つの凹条により挿入部材が挿入される挿入孔が形成され、他方の間で対向する凸条と凹条とが嵌合するように、かつ前記第２連結状態において接する第１面と第２接面との間、又は第２面と第１接面との間のいずれか一方の間で対向する２つの凹条により挿入部材が挿入される挿入孔が形成され、他方の間で対向する凸条と凹条とが嵌合するように、該凸条又は該凹条が形成されており、
前記凸条、凹条、挿入部材及び挿入孔は、前記第１又は第２連結状態における挿入及び嵌合によって前記第１機構と前記第２機構との間の連結を確立し得る横断面形状を有することを特徴とする。
ここで、第１面及び第２面は、それぞれ上述の垂直面及び平行面に相当する。第１連結状態における第１接面及び第２接面は、それぞれ上述の垂直面接面及び平行面接面に対応する。また、第２連結状態における第１接面及び第２接面は、それぞれ上述の平行面接面及び垂直面接面に対応する。